(57)【特許請求の範囲】
【請求項１】
使用無線周波数帯域内に所定周波数間隔で配置した複数の無線チャネルの送信を行う無線装置に於いて、
前記所定周波数間隔で配置した複数の無線チャネルを、少なくとも一つおきの周波数間隔でまとめて複数の系統とし、各系統のチャネル対応の送信信号をそれぞれ共通増幅する送信増幅器と、
該送信増幅器の増幅出力信号を入力して各系統のチャネル対応の送信信号に対する隣接チャネル漏洩電力を低減させるように縦続接続された複数の帯域除去フィルタと、
該帯域除去フィルタを介して出力された送信信号を合成して送信する為の合成手段と
を備えたことを特徴とする無線装置。
【請求項２】
使用無線周波数帯域内に所定周波数間隔で配置した複数の無線チャネルの送信を行う無線装置に於いて、
前記使用無線周波数帯域内に配置された前記複数の無線チャネルに対して連続番号を付与し、該連続番号を付与した無線チャネル番号について奇数無線チャネル番号と偶数無線チャネル番号との２系統とし、該２系統対応の奇数無線チャネル番号送信部と偶数無線チャネル番号送信部と、
該奇数無線チャネル番号送信部と偶数無線チャネル番号送信部とのそれぞれの出力信号を合成する合成手段とを備え、
前記奇数無線チャネル番号送信部は、奇数無線チャネル番号の送信信号を合成して共通増幅する送信増幅器と、該送信増幅器の増幅出力信号を入力して、該奇数無線チャネル番号のチャネルに対する隣接チャネルの偶数無線チャネル番号の周波数成分を除去する縦続接続された複数の帯域除去フィルタとを含み、
前記偶数無線チャネル番号送信部は、偶数無線チャネル番号の送信信号を合成して共通増幅する送信増幅器と、該送信増幅器の増幅出力信号を入力して、該偶数無線チャネル番号のチャネルに対する隣接チャネルの奇数無線チャネル番号の周波数成分を除去する縦続接続された複数の帯域除去フィルタとを含む
構成を備えたことを特徴とする無線装置。
【発明の詳細な説明】
【０００１】
【発明の属する技術分野】
本発明は、使用周波数帯域内に所定の周波数間隔で配置した複数の無線チャネルの送信を行う無線装置に関する。
無線通信システムに於いては、単一周波数を用いる場合と複数周波数を用いる場合とがあり、移動通信システムに於いては、使用周波数帯域を有効に利用する為に、複数の無線チャネルを一定の周波数間隔で配置し、複数無線チャネルの送受信を可能とする無線装置が使用されている。本発明は、このような複数の無線チャネルを効率良く送信できる無線装置に関する。
【０００２】
【従来の技術】
移動通信システム等の無線通信システムに於いては、高速伝送化及び収容可能端末数の増加等の要望により、無線周波数帯域は、数ＧＨｚ帯以上の高周波帯域を使用することになる。又無線周波数帯域を有効利用する為に、周波数間隔を可能の限り狭くし、且つ無線チャネルを連続的に配置する構成が適用される。
【０００３】
又送信信号を増幅する為の送信増幅器は、飽和出力近傍に於いて増幅動作をさせることにより、効率の良い増幅を行わせるものである。しかし、飽和出力近傍では非直線性の為に、増幅出力信号に歪成分が含まれ、この歪成分が隣接チャネルに漏れ込むことになる。そこで、このような歪成分を抑圧する為の歪補償型増幅器が各種提案されている。
【０００４】
図５は歪補償型増幅器の説明図であり、５１は分配器、５２はベクトル調整器、５３は主増幅器、５４は遅延線、５５は方向性結合器、５６は遅延線、５７は合成器、５８はベクトル調整器、５９は補助増幅器を示す。
【０００５】
入力信号は分配器５１により２分岐され、一方はベクトル調整器５２を介して主増幅器５３に入力され、増幅出力信号は方向性結合器５５に入力され、又分配器５１により２分岐された他方は遅延線５４を介して方向性結合器５５に入力される。遅延線５４は、ベクトル調整器５２と主増幅器５３とによる遅延時間を補正する為のものである。
【０００６】
従って、主増幅器５３からの増幅出力信号と、遅延線５４を介した遅延入力信号とが、方向性結合器５５を介して所定の比率で遅延線５６側とベクトル調整器５８側とに結合出力される。主増幅器５３による歪成分は、増幅出力信号と入力信号との差分となるから、この差分を補助増幅器５９により増幅して、主増幅器５３の増幅出力信号の歪成分を打ち消すように合成器５７により合成して出力する。それにより、主増幅器５３を飽和出力近傍で動作させて入力信号を増幅し、増幅出力信号の歪成分を補償して出力信号とすることができる。
【０００７】
又複数無線チャネルの送信信号を共通に増幅する共通増幅方式と、無線チャネル対応に送信信号を増幅する個別増幅方式とが知られており、図６は従来例の共通増幅方式の説明図である。同図に於いて、６１−１〜６１−ｎは無線チャネル対応の変調器、６２は合成器、６３は送信増幅器、６４は送受分波器、６５はアンテナ、６６は受信機を示す。
【０００８】
無線チャネル対応の変調器６１−１〜６１−ｎによる変調出力信号は、合成器６２により合成されて送信増幅器６３に入力される。この送信増幅器６３は、例えば、前述の歪補償型増幅器の構成を適用し、各無線チャネルの送信信号を共通に増幅して、送受分波器６４を介してアンテナ６５から送信する。
【０００９】
図７は従来例の個別増幅方式の説明図であり、７１−１〜７１−ｎは無線チャネル対応の変調器、７２−１〜７２−ｎは無線チャネル対応の送信増幅器、７３１〜７３−ｎ，７４−１〜７４−ｎは帯域除去フィルタ、７５は合成器、７６は送受分波器、７７はアンテナ、７８は受信機を示す。
【００１０】
無線チャネル対応の送信信号は変調器７１−１〜７１−ｎにより変調され、送信増幅器７２−１〜７２−ｎによりそれぞれ増幅される。この場合、隣接チャネル漏洩電力を、帯域除去フィルタ７３−１〜７３−ｎ，７４−１〜７４−ｎによって除去し、合成器７５により合成し、送受分波器７６を介してアンテナ７７から送信する。
【００１１】
図８は無線チャネル配置の説明図であり、例えば、無線チャネルＣＨ１〜ＣＨ４のスペクトラムを示し、それぞれ隣接チャネルへの比較的大きな漏洩電力を含むものである。そこで、急峻な減衰特性を有するフィルタが提案されている。例えば、図９に示す周波数特性の帯域除去フィルタ９１，９２を接続することにより、無線チャネルの占有帯域のみの送信信号とすることができる。
【００１２】
又不要波を除去する為のフィルタとして、超伝導フィルタが知られている。例えば、超伝導状態に冷却した共振器を複数段縦続接続して、帯域通過フィルタを構成し、抵抗分零であることにより、通過帯域の通過損失を零とすることができる。その場合、無負荷Ｑが２００，０００の帯域通過フィルタを構成し、２ＧＨｚ±５ＭＨｚの周波数特性が得られることが知られている（例えば、特開平９−２６１０８２号公報参照）。
【００１３】
【発明が解決しようとする課題】
従来例の個別増幅方式は、無線チャネル対応の送信増幅器７２−１〜７２−ｎを必要とし、無線装置が大型化する問題がある。又送信増幅器７２−１〜７２−ｎ対応に、図９に示すような特性の２個の帯域除去フィルタを必要とするものである。又従来例の共通増幅方式は、無線チャネル対応の送信信号を共通に増幅するものであり、そのスペクトラムは、例えば、図８に示すものとなる。従って、隣接チャネルへの漏洩電力が発生し、前述の急峻な周波数特性を有する超伝導フィルタによる帯域通過フィルタによって、各無線チャネルの送信信号のみを通過させることは不可能に近いものである。即ち、無線チャネルの周波数間隔を狭くすることが困難であって、共通増幅方式によっては、無線周波数帯域の有効利用を図ることができなくなる。
【００１４】
従って、無線チャネルの周波数間隔が広い場合は、共通増幅方式を適用することが可能であるが、周波数間隔を狭くすると、共通増幅器方式を適用することは困難となる。このような点から個別増幅方式を適用することになるが、前述のように、無線チャネル対応の送信増幅器７２−１〜７２−ｎ及び帯域除去フィルタ７３−１〜７３−ｎ，７４−１〜７４−ｎを必要として大型化並びに消費電力の増大となる問題がある。
本発明は、小型化並びに低消費電力化を可能とすることを目的とする。
【００１５】
【課題を解決するための手段】
本発明の無線装置は、（１）使用無線周波数帯域内に所定周波数間隔で配置した複数の無線チャネルの送信を行う無線装置に於いて、所定周波数間隔で配置した複数の無線チャネルを、少なくとも一つおきの周波数間隔でまとめて複数の系統とし、各系統のチャネル対応の送信信号をそれぞれ共通増幅する送信増幅器と、この送信増幅器の増幅出力信号を入力して各系統のチャネル対応の送信信号に対する隣接チャネル漏洩電力を低減させるように縦続接続された複数の帯域除去フィルタと、この帯域除去フィルタを介して出力された送信信号を合成して送信する為の合成手段とを備えている。
【００１６】
又（２）使用無線周波数帯域内に所定周波数間隔で配置した複数の無線チャネルの送信を行う無線装置に於いて、使用無線周波数帯域内に配置された複数の無線チャネルに連続番号を付与し、奇数無線チャネル番号と偶数無線チャネル番号との２系統の奇数無線チャネル番号送信部１と偶数無線チャネル番号送信部２と、この奇数無線チャネル番号送信部１と偶数無線チャネル番号送信部２とのそれぞれの出力信号を合成する合成手段３とを備え、奇数無線チャネル番号送信部１は、奇数無線チャネル番号の送信信号を合成して共通増幅する送信増幅器１３と、この送信増幅器１３の増幅出力信号を入力して、隣接チャネルの偶数無線チャネル番号の周波数成分を除去する縦続接続された複数の帯域除去フィルタ１４−１〜１４−（ｋ＋２）とを含み、偶数無線チャネル番号送信部２は、偶数無線チャネル番号の送信信号を合成して共通増幅する送信増幅器２３と、この送信増幅器２３の増幅出力信号を入力して、隣接チャネルの奇数無線チャネル番号の周波数成分を除去する縦続接続された複数の帯域除去フィルタ２４−１〜２４−（ｊ＋２）とを含む構成とするものである。
【００１７】
又（３）合成手段は、終端器を一端に接続し、他端にアンテナ及び受信機を接続した複数の縦続接続したサーキュレータを含み、アンテナ及び受信機を接続したサーキュレータを除く他の複数のサーキュレータに、それぞれ送信増幅器の系統対応の送信信号を入力する構成を備えることができる。
【００１８】
【発明の実施の形態】
図１は本発明の第１の実施の形態の説明図であり、１は奇数無線チャネル番号送信部、２は偶数無線チャネル番号送信部、３は合成手段、４は送受分波手段、５はアンテナ、６は受信機、１１−１〜１１−ｋ，２１−１〜２１−ｊは変調器、１２，２２は合成器、１３，２３は送信増幅器、１４−１〜１４−（ｋ＋２），２４−１〜２４−（ｊ＋２）はそれぞれ周波数帯域が異なる帯域除去フィルタを示す。又アンテナ５から送受分波手段４を介して受信信号を処理する受信機６は、既に知られている各種の構成を適用することができる。
【００１９】
使用無線周波数帯域内に所定の周波数間隔で複数の無線チャネルを配置し、それぞれに連続番号を付与する。その場合、無線チャネル番号を１〜ｎとすると、この実施の形態は、奇数無線チャネル番号と偶数無線チャネル番号との２系統に分けた場合を示す。即ち、奇数無線チャネル番号送信部１は、奇数番号の無線チャネルの送信信号をそれぞれの変調器１１−１〜１１−ｋ（但し、ｋ＝ｎ／２、或いはｋ＝（ｎ／２）＋１）により変調し、偶数無線チャネル番号送信部２は、偶数番号の無線チャネルの送信信号をそれぞれ変調器２１−１〜２１−ｊ（但し、ｊ＝ｎ／２、或いはｊ＝（ｎ／２）−１）により変調する。
【００２０】
そして、合成器１２，２２により、それぞれ奇数番号の無線チャネルの変調信号と、偶数番号の無線チャネルの変調信号とを合成する。この合成出力信号をそれぞれ送信増幅器１３，２３により共通増幅する。この送信増幅器１３，２３は前述の歪補償型増幅器の構成を適用することも可能である。
【００２１】
奇数無線チャネル番号送信部１に於ける無線チャネルの周波数をｆ１，ｆ３，ｆ５，・・・，ｆ（ｎ−１）とし、偶数無線チャネル番号送信部２に於ける無線チャネルの周波数をｆ２，ｆ４，ｆ６，・・・，ｆｎ（但し、ｎは偶数）とすると、奇数無線チャネル番号送信部１の帯域除去フィルタ１４−１〜１４−（ｋ＋２）は、偶数無線チャネル番号送信部２に於ける共通増幅周波数及び使用無線帯域外の周波数ｆ０，ｆ２，ｆ６，・・・，ｆｎを除去する構成とする。又偶数無線チャネル番号送信部２の帯域除去フィルタ２４−１〜２４−（ｊ＋２）は、奇数無線チャネル番号送信部１に於ける共通増幅周波数及び使用無線帯域外の周波数ｆ１，ｆ３，ｆ５，・・・，ｆ（ｎ＋１）を除去する構成とする。
【００２２】
即ち、奇数無線チャネル番号送信部１の帯域除去フィルタ１４−１〜１４−（ｋ＋２）は、隣接チャネルの漏洩電力に相当するものが偶数無線チャネル番号送信部２に於いて共通増幅する送信信号の周波数成分であり、共通増幅した周波数ｆ１，ｆ３，ｆ５，・・・の奇数無線チャネル番号の送信信号間の周波数ｆ２，ｆ４，ｆ６，・・・の偶数無線チャネル番号の送信信号の成分を除去するものである。更には、使用無線周波数帯域外の低周波側或いは高周波側の信号成分を除去する帯域除去フィルタを設けることができる。
【００２３】
同様に、偶数無線チャネル番号送信部２の帯域除去フィルタ２４−１〜２４−（ｊ＋１）は、共通増幅した周波数ｆ２，ｆ４，ｆ６，・・・の偶数無線チャネル番号の送信信号間の周波数ｆ１，ｆ３，ｆ５，・・・の奇数無線チャネル番号の送信信号の成分を除去するものである。
【００２４】
図２は本発明の第１の実施の形態の動作説明図であり、（Ａ）は奇数無線チャネル番号送信部１の一部の送信スペクトラムと帯域除去フィルタの周波数特性とを示し、（Ｂ）は偶数無線チャネル番号送信部２の一部の送信スペクトラムと帯域除去フィルタの周波数特性とを示し、（Ｃ）は奇数無線チャネル番号と偶数無線チャネル番号とのそれぞれの送信信号のスペクトラムの一部を示す。
【００２５】
同図の（Ａ）に於いて、ＣＨ１，ＣＨ３は奇数無線チャネル番号の送信スペクトラム、ｆｅ０，ｆｅ２，ｆｅ４は帯域除去フィルタ１４−１，１４−２，−１４−３の帯域除去特性を示す。なお、帯域除去フィルタ１４−１は、使用無線周波数帯域外の周波数ｆ０を除去する為のものである。又（Ｂ）に於いて、ＣＨ２，ＣＨ４は偶数無線チャネル番号の送信スペクトラム、ｆｅ１，ｆｅ３，ｆｅ５は帯域除去フィルタ２４−１，２４−２，２４−３の帯域除去特性を示す。
【００２６】
即ち、奇数無線チャネル番号送信部１の帯域除去フィルタ１４−１〜１４−（ｋ＋２）は、隣接チャネルに相当する偶数無線チャネル番号送信部２の送信増幅器２３により共通増幅する周波数の信号成分を除去し、又偶数無線チャネル番号送信部２の帯域除去フィルタ２４−１〜２４−（ｊ＋２）は、隣接チャネルに相当する奇数無線チャネル番号送信部１の送信増幅器１３により共通増幅する周波数の信号成分を除去する。
【００２７】
従って、合成手段３により、奇数無線チャネル番号送信部１と偶数無線チャネル番号送信部２との増幅出力信号を合成すると、図２の（Ｃ）に示すように、無線チャネル番号ＣＨ１，ＣＨ２，ＣＨ３，ＣＨ４，・・・の送信信号は、隣接チャネルの漏洩電力を低減して配置したものとなる。
【００２８】
例えば、使用無線周波数帯域内のｎ個（但し、ｎは偶数とする）の無線チャネルＣＨ１〜ＣＨｎについて、従来例の図７に示す個別増幅方式と比較すると、従来例では、送信増幅器がｎ個、帯域除去フィルタが２ｎ個必要とすることになる。これに対して、本発明の前述の実施の形態によれば、送信増幅器が２個、帯域除去フィルタが使用周波数帯域外の周波数成分を除去するものを含めてｎ＋４個となる。従って、本発明によれば、送信増幅器を２／ｎに低減し、又帯域除去フィルタを（ｎ＋４）／２ｎに低減することができる。例えば、ｎ＝３２とすると、本発明によれば、従来例に比較して送信増幅器を１／１６に、又帯域除去フィルタを９／１６に低減するすることができる。
【００２９】
又従来例の図６に示す共通増幅方式は、送信増幅器を１個とすることができるが、隣接チャネルの漏洩電力の為に、無線チャネルの周波数間隔を広く設定する必要があり、無線周波数帯域の有効利用を図ることができないものである。
【００３０】
図３は本発明の第２の実施の形態の要部説明図であり、図１と同一符号は同一部分を示し、１５−１，１５−２，１５−３はサーキュレータ、１６は終端器、１７は受信フィルタを示す。この実施の形態は、図１に於ける合成手段３を、複数の縦続接続されたサーキュレータ１５−１〜１５−３と終端器１６とにより構成した場合を示す。
【００３１】
帯域除去フィルタ１４−１〜１４−（ｋ＋１）を介した奇数無線チャネル番号送信部１の出力信号と、帯域除去フィルタ２４−１〜２４−（ｊ＋１）を介した偶数無線チャネル番号送信部２の出力信号とは、サーキュレータ１５−１，１５−２を介して合成され、サーキュレータ１５−３を介してアンテナ５から送信される。
【００３２】
この場合、ポート３に終端器１６が接続されたサーキュレータ１５−１のポート２からサーキュレータ１５−２のボート３に入力された奇数無線チャネル番号送信部１からの送信信号に対して、サーキュレータ１５−２のポート１に接続されている帯域除去フィルタ２４−１〜２４−（ｊ＋１）は総て阻止帯域特性を有するものである。従って、奇数無線チャネル番号送信部１の出力信号は、サーキュレータ１５−２のポート２から送受信分波を行うサーキュレータ１５−３のポート１に、偶数無線チャネル番号送信部２の出力信号と共に入力され、そのサーキュレータ１５−３のポート２から出力され、アンテナ５から送信される。又サーキュレータ１５−３のポート３に受信フィルタ１７を介して受信機（図示を省略）が接続される。
【００３３】
図４は本発明の第３の実施の形態の要部説明図であり、３２−１，３２−２，３２−３は合成器、３３−１，３３−２，３３−３は送信増幅器、３４−１〜３４−ｘ，３５−１〜３５−ｙ，３６−１〜３６−ｚは帯域除去フィルタ、３７は合成手段、４１，４２，４３は第１，第２，第３の送信部を示す。
【００３４】
図１及び図３に示す実施の形態は、使用無線周波数帯域内に所定周波数間隔で配置された複数の無線チャネルに対して連続的に番号を付与し、奇数と偶数との２系統に分けて送信増幅する場合を示すが、この実施の形態は、３系統に分けて第１，第２，第３の送信部４１，４２，４３により送信増幅する場合を示す。即ち、合成器３２−１は無線チャネル番号ＣＨ１，ＣＨ４，ＣＨ７，・・の周波数ｆ１，ｆ４，ｆ７，・・・の無線チャネルの送信信号を合成し、又合成器３２−２は無線チャネル番号ＣＨ２，ＣＨ５，ＣＨ８，・・・の周波数ｆ２，ｆ５，ｆ８，・・・の無線チャネルの送信信号を合成し、又合成器３２−３は無線チャネル番号ＣＨ３，ＣＨ６，ＣＨ９，・・・の周波数ｆ３，ｆ６，ｆ９，・・・の無線チャネルの送信信号を合成する。
【００３５】
又第１の送信部４１の帯域除去フィルタ３４−１は使用無線周波数帯域外の周波数ｆ０、帯域除去フィルタ３４−２は周波数ｆ２，ｆ３、帯域除去フィルタ３４−３は周波数ｆ５，ｆ６をそれぞれ除去する周波数特性を有し、以下同様に、第２，第３の送信部４２，４３に於いて送信増幅処理する周波数成分を除去する帯域除去フィルタの構成とする。この場合、例えば、帯域除去フィルタ３４−２は、無線チャネル番号ＣＨ２，ＣＨ３の周波数ｆ２，ｆ３の成分を除去する構成とする。
【００３６】
又第２の送信部４２の帯域除去フィルタ３５−１は周波数ｆ０，ｆ１、帯域除去フィルタ３５−２は周波数ｆ３，ｆ４、帯域除去フィルタ３５−３は周波数ｆ６，ｆ７をそれぞれ除去する周波数特性を有し、以下同様に、第１，第３の送信部４１，４３に於いて送信増幅処理する周波数成分を除去する帯域除去フィルタの構成とする。又第３の送信部４３の帯域除去フィルタ３６−１は周波数ｆ０，ｆ１，ｆ２、帯域除去フィルタ３６−２は周波数ｆ４，ｆ５、帯域除去フィルタ３６−３は周波数ｆ７，ｆ８をそれぞれ除去する周波数特性を有し、以下同様に、第１，第２の送信部４１，４２に於いて送信増幅処理する周波数成分を除去する。帯域除去フィルタの構成とする。
【００３７】
従って、各系統の送信信号は、隣接チャネル漏洩電力を抑圧したものとなり、第１の送信部４１の送信増幅器３３−１により共通増幅された周波数ｆ１，ｆ４，ｆ７，・・・の送信信号と、第２の送信部４２の送信増幅器３３−２により共通増幅された周波数ｆ２，ｆ５，ｆ８，・・・の送信信号と、第３の送信部４３の送信増幅器３３−３により共通増幅された周波数ｆ３，ｆ６，ｆ９，・・・の送信信号とを、合成手段７により合成して、周波数ｆ１，ｆ２，ｆ３，・・・の周波数の送信信号を図示を省略したアンテナから送信することができる。
【００３８】
この実施の形態に於ける合成手段３７も図３に示す実施の形態のように、複数のサーキュレータにより構成することが可能である。即ち、３系統であるから、分波機能のサーキュレータを含めて４個のサーキュレータを縦続接続した構成とすることになる。又使用無線周波数帯域内に所定周波数間隔で配置した無線チャネル数が非常に大きい場合、３系統以上の複数系統に分けて各系統対応に共通増幅し、且つ隣接チャネル漏洩電力抑圧の縦続接続した複数の帯域除去フィルタを設けることも可能である。又各帯域除去フィルタは、超伝導状態として使用する超伝導フィルタによって構成することも可能である。
【００３９】
【発明の効果】
以上説明したように、本発明は、使用無線周波数帯域内に所定の周波数間隔で配置した複数の無線チャネルを、少なくとも一つおき、例えば、一つおきとした奇数無線チャネル番号と偶数無線チャネル番号との２系統、或いは二つおきとして３系統として、それぞれ各系統の送信信号を共通増幅する送信増幅器と、隣接チャネル漏洩電力を抑圧するように縦続接続した複数の帯域除去フィルタとを備えているものであり、従来例の個別増幅方式に比較して送信増幅器及び帯域除去フィルタの個数を少なくし、且つ共通増幅方式では実現できない周波数配置を可能とし、小型化並びに低消費電力化を図ることができる利点がある。
【図面の簡単な説明】
【図１】本発明の第１の実施の形態の説明図である。
【図２】本発明の第１の実施の形態の動作説明図である。
【図３】本発明の第２の実施の形態の要部説明図である。
【図４】本発明の第３の実施の形態の要部説明図である。
【図５】歪補償型増幅器の説明図である。
【図６】従来例の共通増幅方式の説明図である。
【図７】従来例の個別増幅方式の説明図である。
【図８】無線チャネル配置の説明図である。
【図９】隣接チャネル漏洩電力の減衰手段の説明図である。
【符号の説明】
１  奇数無線チャネル番号送信部
２  偶数無線チャネル番号送信部
３  合成手段
４  送受分波手段
５  アンテナ
６  受信機
１１−１〜１１−ｋ，２１−１〜２１−ｊ  変調器
１２，２２  合成器
１３，２３  送信増幅器
１４−１〜１４−（ｋ＋２）  帯域除去フィルタ
２４−１〜２４−（ｊ＋２）  帯域除去フィルタ
【図１】
0003738380.tif 000002
【図２】
0003738380.tif 000003
【図３】
0003738380.tif 000004
【図４】
0003738380.tif 000005
【図５】
0003738380.tif 000006
【図６】
0003738380.tif 000007
【図７】
0003738380.tif 000008
【図８】
0003738380.tif 000009
【図９】
0003738380.tif 000010